(57)【要約】      （修正有）【課題】洗濯物をまとめて収容できるとともに、簡易に洗濯できるスーツケースを提供する。【解決手段】スーツケースは、ケース本体と、少なくとも１つの袋体２０と、取付機構３０とを備える。ケース本体は、物品を収容する。少なくとも１つの袋体２０は、ケース本体の内部に配設され、少なくとも一部分がメッシュ状であり、洗濯可能な素材で構成される。取付機構３０は、ケース本体に少なくとも１つの袋体２０を着脱可能に取り付ける。【選択図】図２
0003221377.tif 000002
【実用新案登録請求の範囲】
【請求項１】
物品を収容するケース本体と、
前記ケース本体の内部に配設され、少なくとも一部分がメッシュ状である少なくとも１つの袋体と、
前記ケース本体に前記少なくとも１つの袋体を着脱可能に取り付ける取付機構と
を備えるスーツケース。
【請求項２】
前記ケース本体は、一対のカバー部材を有し、
前記一対のカバー部材は、各々底部及び開口部を有し、
前記少なくとも１つの袋体は、前記開口部の輪郭形状と略同一の輪郭形状を有する頂面部を有し、
前記取付機構は、前記一対のカバー部材の少なくとも一方における前記開口部に、前記少なくとも１つの袋体の前記頂面部における周縁部を締結する、請求項１に記載のスーツケース。
【請求項３】
前記取付機構は、線ファスナで構成される、請求項１又は請求項２に記載のスーツケース。
【請求項４】
前記取付機構は、ホック、スナップボタン、及び面ファスナから選択される少なくとも１種を含む、請求項１又は請求項２に記載のスーツケース。
【考案の詳細な説明】
【技術分野】
【０００１】
本考案は、キャリーケース、キャリーバッグ、トラベルケース等の剛性又は準剛性手荷物として使用するのに好適なスーツケースに関するものである。
【背景技術】
【０００２】
キャリーケース等の旅行用のスーツケースとして、特許文献１には、ケース本体の内部に仕切が設けられているスーツケースが記載されている。特許文献１に記載のスーツケースにおいては、ケース本体の内部は、仕切によって、複数の収容部に区分されている。複数の収容部には、各々開口部が形成されており、各開口部は、ファスナによって開閉可能に形成される。使用者は、複数の収容部を用途に応じて使い分けることができ、例えば、旅行中に生じた洗濯物を１つの収容部にまとめて収容することもできる。
【先行技術文献】
【特許文献】
【０００３】
【特許文献１】特開２０１６−１２３７５３号公報
【考案の概要】
【考案が解決しようとする課題】
【０００４】
しかしながら、特許文献１に記載のスーツケースにおいては、１つの収容部に洗濯物をまとめて収容したとしても、洗濯の際には、当該収容部から洗濯物を取り出し、例えばメッュ状の洗濯袋に改めて収容しなければならず、煩雑である。
【０００５】
本考案は上記課題に鑑みてなされたものであり、その目的は、洗濯物をまとめて収容できるとともに、簡易に洗濯できるスーツケースを提供することにある。
【課題を解決するための手段】
【０００６】
本願に開示するスーツケースは、ケース本体と、少なくとも１つの袋体と、取付機構とを備える。ケース本体は、物品を収容する。前記少なくとも１つの袋体は、前記ケース本体の内部に配設され、少なくとも一部分がメッシュ状である。前記取付機構は、前記ケース本体に前記少なくとも１つの袋体を着脱可能に取り付ける。
【０００７】
本願に開示するスーツケースにおいて、前記ケース本体は、一対のカバー部材を有する。前記一対のカバー部材は、各々底部及び開口部を有する。前記少なくとも１つの袋体は、頂面部を有する。前記頂面部は、前記開口部の輪郭形状と略同一の輪郭形状を有する。前記取付機構は、前記一対のカバー部材の少なくとも一方における前記開口部に、前記少なくとも１つの袋体の前記頂面部における周縁部を締結する。
【０００８】
本願に開示するスーツケースにおいて、前記取付機構は、線ファスナで構成される。
【０００９】
本願に開示するスーツケースにおいて、前記取付機構は、ホック、スナップボタン、及び面ファスナから選択される少なくとも１種を含む。
【考案の効果】
【００１０】
本考案のスーツケースによれば、洗濯物をまとめて収容できるとともに、簡易に洗濯できる。
【図面の簡単な説明】
【００１１】
【図１】本考案の実施形態に係るスーツケースを示す斜視図である。
【図２】本考案の実施形態に係るスーツケースの内部構造を示す斜視図であって、第１状態を示す斜視図である。
【図３】本考案の実施形態に係るスーツケースの内部構造を示す斜視図であって、第２状態を示す斜視図である。
【図４】本考案の実施形態に係るスーツケースを示す断面図である。
【図５】本考案の実施形態に係る袋体を示す斜視図である。
【考案を実施するための形態】
【００１２】
以下、本考案の実施形態に係るスーツケースを図面に基づいて詳しく説明する。なお、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１３】
〈実施形態〉
図１〜図５を参照して、本考案の実施形態に係るスーツケースを説明する。図１は、実施形態に係るスーツケースを示す斜視図である。図２は、実施形態に係るスーツケースの内部構造を示す斜視図であって、第１状態を示す斜視図である。図３は、実施形態に係るスーツケースの内部構造を示す斜視図であって、第２状態を示す斜視図である。図４は、実施形態に係るスーツケースを示す断面図である。図５は、実施形態に係る袋体を示す斜視図である。
【００１４】
図１、図２に示すように、実施形態に係るスーツケースは、ケース本体１０と、少なくとも１つの袋体２０と、取付機構３０とを備える。ケース本体１０は、物品を収容する。少なくとも１つの袋体２０は、ケース本体１０の内部に配設され、洗濯物を収容可能である。取付機構３０は、ケース本体１０に少なくとも１つの袋体２０を着脱可能に取り付ける。また、実施形態に係るスーツケースは、線ファスナ等の締結部１０ａと、複数のキャスター１０ｂと、キャリーハンドル１０ｃと、把手１０ｄと、蝶番１０ｅとを備える。
【００１５】
ケース本体１０は、実施形態においては、一対のカバー部材である第１カバー部材１１と、第２カバー部材１２とを有する。第１カバー部材１１と第２カバー部材１２とは、略同一の形状であり、底部１１ａ、底部１２ａと、開口部１１ｂ、開口部１２ｂとを各々有する。第１カバー部材１１の開口部１１ｂにおける一側部と、第２カバー部材１２の開口部１２ｂにおける一側部とは、蝶番１０ｅによって連結される。また、開口部１１ｂにおける蝶番１０ｅ以外の部分と、開口部１２ｂにおける蝶番１０ｅ以外の部分とは、締結部１０ａによって締結される。なお、ケース本体１０は、必ずしも略同一形状の第１カバー部材１１と第２カバー部材１２とで構成されなくてもよく、例えば、一方が底の深い容器状であり、他方が底の浅い蓋状である一対のカバー部材で構成されてもよい。
【００１６】
複数のキャスター１０ｂは、図１に示すように、縦長であるケース本体１０の下端角部に各々取り付けられる。キャリーハンドル１０ｃは、第１カバー部材１１に、ケース本体１０の縦方向に伸縮自在に設けられる。また、把手１０ｄは、第１カバー部材１１、第２カバー部材１２における外側面の適宜位置に取り付けられる。
【００１７】
次に、図２〜図５を参照して、少なくとも１つの袋体２０を説明する。袋体２０は、図２に示すように、少なくとも一部分がメッシュ状であり、洗濯可能な素材で構成される。実施形態においては、袋体２０は、全体がメッシュ状である。また、実施形態においては、袋体２０の個数は、２個であり、２個の袋体２０は、第１カバー部材１１と、第２カバー部材１２とに取付機構３０によって各々取り付けられる。また、実施形態においては、袋体２０の素材は、ポリエステルである。なお、袋体２０の素材は、洗濯可能であればよく、例えば、ポリオレフィン、ナイロン、アクリル、ポリウレタ、アセテ−トなどを袋体２０の素材として好適に使用できる。また、袋体２０の個数は、２つである必要はなく、１個でも、３個以上でもよく、１個だけの袋体２０を第１カバー部材１１及び第２カバー部材１２の一方に取り付けてもよく、第１カバー部材１１及び第２カバー部材１２の少なくとも一方に、小さな２個以上の袋体を取り付けてもよい。
【００１８】
また、袋体２０は、図４、図５に示すように、実施形態においては、扁平な六面体形状を有しており、頂面部２１と、洗濯物を出し入れする取出口２２と、開閉機構２３とを有する。頂面部２１は、第１カバー部材１１の開口部１１ｂ及び第２カバー部材１２の開口部１２ｂの輪郭形状と略同一の輪郭形状を有する。取出口２２は、図３に示すように、頂面部２１に設けられており、開閉機構２３によって開閉可能に形成される。開閉機構２３は、線ファスナで構成され、スライダ２３ａを有する。なお、開閉機構２３は、必ずしも線ファスナで構成されなくてもよく、ホック、スナップボタン、又は面ファスナで構成されてもよい。
【００１９】
また、図３〜図５に示すように、袋体２０には覆布１０ｆを設けることができる。覆布１０ｆは、方形状であり、蝶番１０ｅをケース本体１０の内側から覆う。覆布１０ｆの一側端部は、袋体２０に縫い付けられる。覆布１０ｆの他側端部は、例えば面ファスナ１０ｇによって、当該袋体２０が取り付けられる側とは反対側のカバー部材の開口部に締結される。
【００２０】
次に、図３、図４を参照して、取付機構３０を説明する。取付機構３０は、線ファスナで構成されており、図４に示すように、スライダ３１を有している。実施形態においては、取付機構３０によって、２つの袋体２０の頂面部２１における周縁部２１ａが、第１カバー部材１１の開口部１１ｂ、又は第２カバー部材１２の開口部１２ｂに締結される。なお、取付機構３０は、必ずしも線ファスナで構成されなくてもよく、例えば、ホック、スナップボタン、又は面ファスナ等の線ファスナ以外の締結手段で構成されてもよい。
【００２１】
以上、図１〜図４を参照して説明したように、実施形態のスーツケースによれば、少なくとも１つの袋体２０が、取付機構３０によって、ケース本体１０に着脱可能に取り付けられる。少なくとも１つの袋体２０は、少なくとも一部分がメッシュ状であり、洗濯可能な素材で構成される。従って、例えば旅行中に生じた洗濯物を袋体２０にまとめて収容でき、旅行が終わると、洗濯物を他の洗濯袋に収容し直すような手間を要せず、洗濯物を収容したままの袋体２０をケース本体１０から取り外し、洗濯でき、洗濯物をワンタッチで簡易に洗濯できる。
【００２２】
また、図１〜図４を参照して説明したように、実施形態のスーツケースによれば、ケース本体１０が一対のカバー部材である第１カバー部材１１及び第２カバー部材１２を有し、第１カバー部材１１及び第２カバー部材１２は、各々、開口部１１ｂ、開口部１２ｂを有し、少なくとも１つの袋体２０は、頂面部２１を有する。頂面部２１は、開口部１１ｂ、開口部１２ｂの輪郭形状と略同一の輪郭形状を有する。
【００２３】
そして、取付機構３０は、第１カバー部材１１の開口部１１ｂ及び第２カバー部材１２の開口部１２ｂの少なくとも一方に、少なくとも１つの袋体２０の頂面部２１における周縁部２１ａを締結する。従って、袋体２０を第１カバー部材１１又は第２カバー部材１２の容積と同程度の容積にすることが容易になり、袋体２０の容積を１回の旅行で生じる全ての洗濯物を収容できる程度に大きい容積とすることが容易となり、洗濯物の一部を他の洗濯袋に収容し直すような手間を要せず、洗濯物を更に簡易に洗濯できる。
【００２４】
また、図１〜図４を参照して説明したように、実施形態のスーツケースによれば、取付機構３０は、線ファスナで構成される。従って、洗濯物の重量によって袋体２０が第１カバー部材１１又は第２カバー部材１２から外れたりすることがないように、十分な強度で袋体２０を第１カバー部材１１又は第２カバー部材１２に着脱可能に取り付けることができる。また、取付機構３０が線ファスナであれば、袋体２０と開口部１１ｂ又は開口部１２ｂとの間に隙間を生じることなく、一回の操作で袋体２０を第１カバー部材１１及び第２カバー部材１２に取付けできる。
【００２５】
また、上述したとおり、取付機構３０は、ホック、スナップボタン、又は面ファスナ等の締結手段で構成することができ、取付機構３０をより簡易な機構とすることもできる。なお、取付機構３０を面ファスナで構成するとき、面ファスナのフック及びループのうち、ループを袋体２０の方に設けるようにすれば、洗濯物を収容している袋体２０を他の洗濯物と共に洗濯するときに、他の洗濯物が面ファスナによって損傷されることを抑制できる。
【００２６】
以上、図面（図１〜図５）を参照しながら本考案の実施形態を説明した。但し、本考案は、上記の実施形態に限られるものではなく、その要旨を逸脱しない範囲で種々の態様において実施することが可能である。
【符号の説明】
【００２７】
１０…ケース本体
１１…第１カバー部材
１２…第２カバー部材
１１ａ、１２ａ…底部
１１ｂ、１２ｂ…開口部
２０…袋体
２１…頂面部
２１ａ…周縁部
３０…取付機構
【図１】
0003221377.tif 000003
【図２】
0003221377.tif 000004
【図３】
0003221377.tif 000005
【図４】
0003221377.tif 000006
【図５】
0003221377.tif 000007